(57)【要約】【課題】  簡単な作業で電線に対してバインドを効率的に巻き付けることのできるバインド巻付具を提供する。【解決手段】  碍子に取付可能に形成された碍子取付部と、電線に巻き付け可能に前記碍子取付部から延出した電線巻付部とを備えるバインドを用いて碍子に電線を固定する際に、電線巻付部を電線に巻き付けるのに使用されるバインド巻付具であって、並列状態にある電線と電線巻付部との間に配置される介在部が形成された巻付具本体を備え、該巻付具本体は、電線に当接させる第一当接部が介在部の一端に形成されるとともに、電線巻付部に当接させる第二当接部が介在部の他端に形成さていることを特徴とする。【選択図】図２
2010015704.tif 000002
【特許請求の範囲】
【請求項１】
碍子に取付可能に形成された碍子取付部と、電線に巻き付け可能に前記碍子取付部から延出した電線巻付部とを備えるバインドを用いて碍子に電線を固定する際に、電線巻付部を電線に巻き付けるのに使用されるバインド巻付具であって、並列状態にある電線と電線巻付部との間に配置される介在部が形成された巻付具本体を備え、該巻付具本体は、電線に当接させる第一当接部が介在部の一端に形成されるとともに、電線巻付部に当接させる第二当接部が介在部の他端に形成されていることを特徴とするバインド巻付具。
【請求項２】
前記巻付具本体は、一方向を長手にして棒状又は帯板状に形成されるとともに、電線巻付部を挿通させる貫通孔が長手方向と直交する方向に貫通して形成され、前記介在部は、巻付具本体の外面と貫通孔を画定する内周との間で構成され、前記第一当接部は、巻付具本体の外面で構成される一方、第二当接部が、貫通孔の内周で構成されている請求項１に記載のバインド巻付具。
【請求項３】
前記貫通孔は、巻付具本体の長手方向の略中央部に形成されている請求項２に記載のバインド巻付具。
【請求項４】
前記巻付具本体の少なくとも一方の端部に環状体が連設されている請求項２又は３に記載のバインド巻付具。
【発明の詳細な説明】
【技術分野】
【０００１】
本発明は、碍子に電線を固定するバインドの取付作業に使用される工具に関し、特には、電線に対する巻き付けで該電線を保持するように構成されたバインドの巻付作業に使用されるバインド巻付具に関する。
【背景技術】
【０００２】
従来から、電柱や鉄塔等の支持体に取り付けられた碍子に対して電線を固定するのにバインドが用いられている。かかるバインドは、絶縁被覆された金属製の線材を曲げ加工したもので、一般的には、碍子に取付可能に形成された碍子取付部と、電線に巻き付け可能に前記碍子取付部から延出した電線巻付部とを備えている（例えば、特許文献１参照）。
【０００３】
前記碍子取付部は、碍子に形成された括れ部に嵌着できるように、Ｃ字状、Ｕ字状、或いは環状に形成されている。これに対し、前記電線巻付部は、碍子取付部を中央にしてその両側に真っ直ぐに又は螺旋状をなして延出している。
【０００４】
上記構成のバインドは、碍子取付部を碍子に取り付けるとともに、電線巻付部を電線に巻き付けることで、碍子に対して電線を固定できるようになっている。
【０００５】
ところで、近年において、作業者の安全性を確保する等といった観点から、配電系等に対する作業は、作業者が直接電線に触れることのない間接活線作業によって行われている。すなわち、作業内容に応じた工具（以下、先端工具という）をホットスティック等の絶縁操作棒の先端に取り付け、該絶縁操作棒を操作することで各種作業を行うようにしている。
【０００６】
そのため、上述のようなバインドの取付作業（碍子に対する碍子取付部の取り付けや電線に対する電線巻付部の巻付作業）についても、間接活線作業で行われている。すなわち、絶縁ヤットコ等を用いて碍子取付部を碍子に取り付け、環状又はフック状の先端工具を接続した絶縁操作棒を操作して電線に電線巻付部を巻き付けるようにしている（例えば、特許文献１及び２参照）。
【０００７】
具体的には、絶縁ヤットコで保持したバインドの碍子取付部を碍子に取り付け（嵌着し）、電線巻付部を碍子（碍子取付部）から延出した状態にする。しかる後、電線巻付部に先端工具を引っ掛けた状態で絶縁操作棒を操作することで、電線巻付部を電線に１周巻き付けた後、先端工具を電線巻付部の先端側に引っ掛け直した上で再度電線巻付部を電線に１周巻き付けるといった作業を繰り返し行うようにしている。すなわち、絶縁操作棒の操作は電線の横側或いは下側で行われるため、電線巻付部を電線に対して螺旋状に巻き付けるのに、電線巻付部に対して先端工具を引っ掛ける作業、先端工具が引っ掛けられた電線巻付部を電線に巻き付ける作業、電線巻付部に対する先端工具の引っ掛けを解除する作業を繰り返し行うことで、電線巻付部の全長を電線に巻き付けるようにしている。
【特許文献１】特開２００７−１５７４１１号公報
【特許文献２】特開２００８−４２９９０号公報
【発明の開示】
【発明が解決しようとする課題】
【０００８】
しかしながら、従来のバインドの取付方法では、上述の如く、電線巻付部を電線周りで１周巻き付ける度に先端工具を引っ掛け直す作業を繰り返し行わなければならないため、作業者に対する作業負担が大きいといった問題がある。すなわち、バインドが弾性及び剛性のある金属製の線材で構成されているため、電線巻付部に対する先端工具の引っ掛けを解除する際に、先端工具が電線とバインドとに挟まれた状態になってしまい円滑に引っ掛けを解除できない場合がある。そのため、電線巻付部に対して先端工具を引っ掛ける作業、先端工具が引っ掛けられた電線巻付部を電線に巻き付ける作業、電線巻付部に対する先端工具の引っ掛けを解除する作業を繰り返し行うことは、作業者に対する作業負担が大きく、作業効率を低下させるといった問題があった。
【０００９】
そこで、本発明は、斯かる実情に鑑み、簡単な作業で電線に対してバインドを効率的に巻き付けることのできるバインド巻付具を提供することを課題とする。
【課題を解決するための手段】
【００１０】
本発明に係るバインド巻付具は、碍子に取付可能に形成された碍子取付部と、電線に巻き付け可能に前記碍子取付部から延出した電線巻付部とを備えるバインドを用いて碍子に電線を固定する際に、電線巻付部を電線に巻き付けるのに使用されるバインド巻付具であって、並列状態にある電線と電線巻付部との間に配置される介在部が形成された巻付具本体を備え、該巻付具本体は、電線に当接させる第一当接部が介在部の一端に形成されるとともに、電線巻付部に当接させる第二当接部が介在部の他端に形成されていることを特徴とする。
【００１１】
上記構成のバインド巻付具によれば、並列状態にある電線と電線巻付部との間に介在部を配置し、第一当接部を電線の外周に当接させつつ巻付具本体を電線周りで回転させると、第二当接部によって電線巻付部が巻付具本体の回転方向と同方向に押されて電線周りに順々に巻き付けられることになる。
【００１２】
このとき、電線巻付部の巻き付けによって巻付具本体が電線の軸心方向に押されて移動し、電線巻付部が電線に対して螺旋状に巻かれることになる。
【００１３】
このように、本発明に係るバインド巻付具は、作業に熟練性が要求されることなく、巻付具本体を電線周りで回転させるといった簡単な作業で、電線に対して電線巻付部を連続的に巻き付けることができる。
【００１４】
本発明の一態様として、前記巻付具本体は、一方向を長手にして棒状又は帯板状に形成されるとともに、電線巻付部を挿通させる貫通孔が長手方向と直交する方向に貫通して形成され、前記介在部は、巻付具本体の外面と貫通孔を画定する内周との間で構成され、前記第一当接部は、巻付具本体の外面で構成される一方、第二当接部が、貫通孔の内周で構成されてもよい。このようにすれば、電線巻付部を電線に対して巻き付ける際、すなわち、巻付具本体を電線周りで回転させる際に、電線巻付部と巻付具本体とに一体性を持たせることができるため、巻き付けの対象となる電線巻付部の姿勢を気にすることなく巻付具本体を回転させるだけで、電線巻付部を電線に巻き付けることができる。
【００１５】
この場合、前記貫通孔は、巻付具本体の長手方向の略中央部に形成されていることが好ましい。このようにすれば、巻付具本体の何れの端部を力点にしても均一な力で巻付具本体を円滑に回転させることができる。
【００１６】
また、本発明の他態様として、前記巻付具本体の少なくとも一方の端部に環状体が連設されてもよい。このようにすれば、環状体に絶縁操作棒の先端に取り付けたフック（先端工具）を引っ掛けて絶縁操作棒を単に引っ張るだけで、巻付具本体を電線周りで回転させることができる。
【発明の効果】
【００１７】
以上のように、本発明に係るバインド巻付具によれば、簡単な作業で電線に対してバインドを効率的に巻き付けることができるという優れた効果を奏し得る。
【発明を実施するための最良の形態】
【００１８】
以下、本発明の第一実施形態に係るバインド巻付具について、添付図面を参照しつつ説明する。本実施形態に係るバインド巻付具は、バインドを用いて電線を碍子に固定する際に使用される。すなわち、本実施形態に係るバインド巻付具は、バインド（後述する電線巻付部）を電線に巻き付けるのに使用される。
【００１９】
ここで、バインド巻付具の説明に先立ち、バインド巻付具が用いられる前提となる碍子、及びバインドについて図１（ａ）及び図１（ｂ）を参照して説明することとする。
【００２０】
前記碍子１００は、一般的に電柱や鉄塔等の支持体（図示しない）から横方向に延出する腕金（図示しない）等に取り付けられる。該碍子１００は、電気絶縁性を有する絶縁部１０１と、該絶縁部１０１に連結された脚部１０２とを備えている。前記絶縁部１０１は、磁器や樹脂等で円柱状に成形されており、外周の所定位置に対して全周に亘って括れ部１０３が形成されている。これに対し、脚部１０２は、金属製の棒材で構成されており、絶縁部１０１の下端から下方に向けて延出している。該脚部１０２は、下端部にネジ（図示しない）が設けられており、腕金等にネジ固定できるようになっている。
【００２１】
前記バインド２００は、絶縁被覆された金属製（例えば、バネ鋼製）の線材を曲げ加工することで形成されたもので、碍子１００に取付可能に形成された碍子取付部２０１と、電線Ｃに巻き付け可能に前記碍子取付部２０１から延出した電線巻付部２０２ａ，２０２ｂとを備えている。前記碍子取付部２０１は、一般的にＵ字状、Ｃ字状、或いは環状に形成されており、碍子１００に形成された括れ部１０３に嵌着可能に形成されている。なお、本実施形態においては、碍子取付部２０１が略Ｃ字状に形成されており、碍子１００の括れ部１０３に対して径方向から嵌着できるようになっている。
【００２２】
電線巻付部２０２ａ，２０２ｂは、碍子取付部２０１の両端から延出しており、それぞれが螺旋状に予め曲げ加工されている。なお、本実施形態においては、一対の電線巻付部２０２ａ，２０２ｂが碍子取付部２０１の両側に真反対に延出したバインド２００を対象に説明することとする。
【００２３】
上記構成のバインド２００は、碍子取付部２０１を碍子１００の括れ部１０３に嵌着した上で、碍子１００の括れ部１０３に対して部分的に沿わせた電線Ｃに対して碍子取付部２０１の両側に延出した各電線巻付部２０２ａ，２０２ｂを順々に巻き付けることで、該電線巻付部２０２ａ，２０２ｂで電線Ｃを保持し、電線Ｃを碍子１００に固定するようになっている。
【００２４】
本実施形態に係るバインド巻付具は、上述の如く、バインド２００の電線巻付部２０２ａ，２０２ｂを電線Ｃに対して巻き付けるためのもので、図２（ａ）及び図２（ｂ）に示す如く、並列状態にある電線Ｃと電線巻付部２０２ａ，２０２ｂとの間に配置される介在部２が形成された巻付具本体３を備える。
【００２５】
前記巻付具本体３は、絶縁材料（例えば、合成樹脂）で成形されており、電線Ｃに当接させる第一当接部４が介在部２の一端に形成されるとともに、電線巻付部２０２ａ，２０２ｂに当接させる第二当接部５が介在部２の他端に形成されている。該巻付具本体３は、棒状又は帯板状（本実施形態においては棒状）に形成されている。なお、本実施形態に巻付具本体３は、両端部が先端に向かって先細りに形成されている。かかる巻付具本体３は、中実又は中空であってもよいが、本実施形態においては、強度確保の観点から中実に形成されている。
【００２６】
さらに、該バインド巻付具１は、巻付具本体３の両端部に環状体７，７が連設されている。本実施形態に係る環状体７，７は、紐材を環状にしたもので、巻付具本体３の端部に穿設された貫通した孔（採番しない）に紐材を挿通し、該紐材の両端部を連結することによって形成されている。該環状体７，７を形成するための紐材は、電気絶縁性のある麻紐等であってもよいが、例えば、外周が樹脂で絶縁被覆された導線等であってもよい。このように絶縁被覆された導線を採用すると、電気絶縁性を確保することができる上に、内部の線材（導線）によって所定形状に保形することができる。
【００２７】
前記巻付具本体３は、第一当接部４を電線Ｃに当接させつつ該電線Ｃ周りで回転させることで、第二当接部５が電線巻付部２０２ａ，２０２ｂを押すように構成されている。本実施形態に係る巻付具本体３は、電線巻付部２０２ａ，２０２ｂを挿通させる貫通孔６が長手方向と交差する方向に貫通して形成されている。該貫通孔６は、バインド２００の電線巻付部２０２ａ，２０２ｂを挿通するためのもので、本実施形態においては、巻付具本体３の長手方向と直交する方向に貫通して形成されている。本実施形態においては、前記電線巻付部２０２ａ，２０２ｂが螺旋状に曲げ加工されているため、該電線巻付部２０２ａ，２０２ｂを挿通させるべく、貫通孔６の孔径は、電線巻付部２０２ａ，２０２ｂの外径よりも大きく設定されている。すなわち、貫通孔６の孔径は、挿通した電線巻付部２０２ａ，２０２ｂが貫通孔６の孔中心方向に移動自在となるサイズに設定される。
【００２８】
そして、前記貫通孔６は、巻付具本体３の長手方向の略中央部に形成されており、巻付具本体３が長手方向の中央を基準に左右対称（一端側と他端側とが略同じ長さ）に形成されている。
【００２９】
このように巻付具本体３に貫通孔６を設けることで、前記介在部２は、巻付具本体３の外面と貫通孔６を画定する内周との間で構成され、前記第一当接部４は、巻付具本体３の外面（介在部２の一端）で構成される一方、第二当接部５が、貫通孔６の内周（介在部２の他端）で構成されている。すなわち、本実施形態に係る巻付具本体３は、貫通孔６の孔中心及び該巻付具本体３の長手方向と直交する方向の外面が、第一当接部４として設定され、貫通孔６の内周面であって、第一当接部４と離反する面が第二当接部５として設定されている。
【００３０】
そして、本実施形態に係るバインド巻付具１は、巻付具本体３に貫通孔６を形成することで、その内周で第二当接部５を構成するようにしているため、巻付具本体３の長手方向と直交する方向において、介在部２が二つ形成されている。すなわち、本実施形態に係るバインド巻付具１は、貫通孔６を挟んでその両側に介在部２が形成されている。従って、該バインド巻付具１は、巻付具本体３の長手方向に延びる軸心（貫通孔６）を基準とする対称位置に第一当接部４，４が一対形成されている。
【００３１】
本実施形態に係るバインド巻付具１は、以上の構成からなり、次に、該バインド巻付具１を用いてバインド２００を電線Ｃに巻き付ける方法について説明する。
【００３２】
まず、絶縁ヤットコでバインド２００を保持しつつ支持体に取り付けられた碍子１００の括れ部１０３に碍子取付部２０１を嵌め付ける。しかる後、絶縁ヤットコで電線Ｃを保持しつつ該電線Ｃを括れ部１０３に対して部分的に沿わせる。すなわち、Ｃ字状又はＵ字状に形成された碍子取付部２０１を碍子１００の括れ部１０３に嵌着した状態で、括れ部１０３の一部に碍子取付部２０１に包囲されていない部分が残るため、当該部分に長尺な電線Ｃの一部を沿わせた状態にする。
【００３３】
この状態で、碍子取付部２０１の両側にある一対の電線巻付部２０２ａ，２０２ｂが碍子１００の括れ部１０３に部分的に沿わせた電線Ｃと同方向に延びた状態になる。そして、絶縁ヤットコでバインド巻付具１（巻付具本体３）を保持し、該巻付具本体３の貫通孔６に一方の電線巻付部２０２ａを挿通する。このとき、バインド巻付具１は、図３（ａ）に示す如く、電線巻付部２０２ａ，２０２ｂの基端側（碍子取付部２０１側）に配置される。なお、本実施形態においては、碍子取付部２０１を碍子１００に取り付けた後に、貫通孔６に電線巻付部２０２ａ，２０２ｂを挿通したが、碍子取付部２０１を碍子１００に取り付ける前に、予め貫通孔６に電線巻付部２０２ａ，２０２ｂを挿通しておいてもよい。
【００３４】
このように貫通孔６に電線巻付部２０２ａ，２０２ｂを挿通することで、該電線巻付部２０２ａ，２０２ｂと電線Ｃとの間に介在部２が介在し、第一当接部４に電線Ｃが当接するとともに第二当接部５に電線巻付部２０２ａ，２０２ｂが当接した状態となる（図２（ｂ）参照）。
【００３５】
しかる後、絶縁ヤットコＹで他方の電線巻付部２０２ｂと電線Ｃとを一緒に保持した上で、第一当接部４を電線Ｃに当接させつつ、巻付具本体３を電線Ｃ周りで回転させる。このとき、絶縁ヤットコで巻付具本体３の何れか一方側の端部を保持して引っ張ることでバインド巻付具１全体を回転させることができるが、本実施形態においては、巻付具本体３の両端部に環状体７，７が設けられているため、絶縁操作棒Ｓの先端に取り付けたフック状の先端工具Ｆを環状体７，７に引っ掛けて該絶縁操作棒Ｓを引っ張ることにより、巻付具本体３を電線Ｃ周りで回転させる。
【００３６】
そうすると、巻付具本体３の回転に伴って、一方の電線巻付部２０２ａが第二当接部５に当接し、該巻付具本体３の回転と同方向に押される結果、該一方の電線巻付部２０２ａが碍子取付部２０１（基端）側から先端に向けて電線Ｃに対して巻き付いていく。すなわち、引っ張られた巻付具本体３の端部が力点となり、第一当接部４が巻付具本体３の回転支点となるため、第二当接部５が電線巻付部２０２ａ，２０２ｂに対して電線Ｃ周りの押し力を作用させる作用点となる結果、巻付具本体３がテコの如く機能し、電線Ｃと横並び状態にあった電線巻付部２０２ａ，２０２ｂが電線Ｃに巻き付いていくことになる。
【００３７】
そして、一方の環状体７（巻付具本体３の一方の端部）に対する引っ張りが許容される範囲で巻付具本体３を回転させた後、図３（ｂ）及び図３（ｃ）に示す如く、絶縁操作棒Ｓ等で引っ張る対象となる環状体７，７（巻付具本体３の端部）を換えて再び引っ張る（一端側を引っ張った後は他端側を引っ張り、他端側を引っ張った後は一端側を引っ張る）ことで、巻付具本体３を電線Ｃ周りで回転させる。このように、引っ張る対象となる端部を交互に切り換えつつ巻付具本体３を回転させていくと、上述の如く、電線巻付部２０２ａ，２０２ｂが電線Ｃに対して基端側から順々に巻き付いていくことになる。
【００３８】
このように電線巻付部２０２ａ，２０２ｂが電線Ｃに対して順々に巻き付いていくに従い、碍子取付部２０１側に配置されていた巻付具本体３は、図３（ａ）〜図３（ｃ）に示す如く、順々に電線巻付部２０２ａ，２０２ｂの先端側に移動する。その結果、電線巻付部２０２ａ，２０２ｂが電線Ｃに対して完全に巻き付いた状態で、図３（ｄ）に示す如く、該電線巻付部２０２ａ，２０２ｂにおける貫通孔６に対する挿通状態が解除される。従って、巻付具本体３の貫通孔６から電線巻付部２０２ａ，２０２ｂが脱けた状態で一方の電線巻付部２０２ａの電線Ｃに対する巻き付けが完了する。
【００３９】
本実施形態においては、電線巻付部２０２ａ，２０２ｂが碍子取付部２０１の両側に設けられているので、上述の如く、一方の電線巻付部２０２ａの電線Ｃに対する巻き付けが完了すると、同様の要領で他方の電線巻付部２０２ｂについても電線Ｃに対して巻き付ける。そして、一対の電線巻付部２０２ａ，２０２ｂのそれぞれが電線Ｃに対して巻き付けられると、碍子１００の括れ部１０３に対して一部が沿った電線Ｃは、碍子１００の両側でバインド２００の電線巻付部２０２ａ，２０２ｂに保持された状態となる（図１参照）。
【００４０】
以上のように、本実施形態に係るバインド巻付具１は、上記構成とすることで、並列状態にある電線Ｃと電線巻付部２０２ａ，２０２ｂとの間に介在部２を配置し、第一当接部４を電線Ｃの外周に当接させつつ巻付具本体３を電線Ｃ周りで回転させるだけで、第二当接部５によって電線巻付部２０２ａ，２０２ｂが巻付具本体３の回転方向と同方向に押されて電線Ｃ周りに螺旋状に順々に巻き付けられるので、作業に熟練性が要求されることなく、巻付具本体３を電線Ｃ周りで回転させるといった簡単な作業で、電線Ｃに対して電線巻付部２０２ａ，２０２ｂを連続的に巻き付けることができる。
【００４１】
また、前記巻付具本体３は、棒状又は帯板状に形成されるとともに、電線巻付部２０２ａ，２０２ｂを挿通させる貫通孔６が長手方向と交差方向に貫通して形成され、前記介在部２は、巻付具本体３の外面と貫通孔６を画定する内周との間で構成され、前記第一当接部４は、巻付具本体３の外面で構成される一方、第二当接部５は、貫通孔６の内周で構成されることで、巻付具本体３を電線Ｃ周りで回転させる際に、電線巻付部２０２ａ，２０２ｂと巻付具本体３とに一体性を持たせることができ、巻き付けの対象となる電線巻付部２０２ａ，２０２ｂの姿勢を気にすることなく巻付具本体３を回転させるだけで、電線巻付部２０２ａ，２０２ｂを電線Ｃに巻き付けることができる。
【００４２】
さらに、巻付具本体３の長手方向の略中央部に前記貫通孔６が形成されることで、巻付具本体３の何れの端部を力点にしても均一な力で巻付具本体３を円滑に回転させることができる。
【００４３】
また、前記巻付具本体３の少なくとも一方の端部に環状体７，７が連設されることで、環状体７，７に絶縁操作棒Ｓの先端に取り付けたフック（先端工具Ｆ）を引っ掛けて絶縁操作棒Ｓを単に引っ張るだけで、巻付具本体３を電線Ｃ周りで回転させることができる。
【００４４】
次に、本発明の第二実施形態に係るバインド巻付具について説明する。本実施形態に係るバインド巻付具は、第一実施形態と同様のバインドを用いて碍子に電線を固定する際に、バインド（電線巻付部）を電線に巻き付けるためのものである。従って、以下の説明において、バインド巻付具以外のものについては、図１を参酌するとともに第一実施形態と同一名称及び同一符号を付して説明を割愛する。また、バインド巻付具に関しては、第一実施形態の構成と同一又は相当する構成について、便宜上同一名称及び同一符号を付すこととする。
【００４５】
本実施形態に係るバインド巻付具１は、上述の如く、バインド２００の電線巻付部２０２ａ，２０２ｂを電線Ｃに対して巻き付けるためのもので、図４（ａ）及び図４（ｂ）に示す如く、並列状態にある電線Ｃと電線巻付部２０２ａ，２０２ｂとの間に配置される介在部２が形成された巻付具本体３を備える。
【００４６】
前記巻付具本体３は、絶縁材料（例えば、合成樹脂）で成形されており、電線Ｃに当接させる第一当接部４が介在部２の一端に形成されるとともに、電線巻付部２０２ａ，２０２ｂに当接させる第二当接部５が介在部２の他端に形成されている。かかる巻付具本体３は、棒状又は帯板状（本実施形態においては棒状）に形成される。巻付具本体３は、中実又は中空であってもよいが、本実施形態においても、強度確保の観点から中実に形成されている。
【００４７】
さらに、本実施形態においても、バインド巻付具１は、巻付具本体３の両端部に環状体７，７が設けられており、フック状の先端工具Ｆで巻付具本体３の端部を引っ張ることができるようになっている。
【００４８】
前記巻付具本体３は、第一当接部４を電線Ｃに当接させつつ該電線Ｃ周りで回転させることで、第二当接部５が電線巻付部２０２ａ，２０２ｂを押すように構成されている。本実施形態に係る巻付具本体３は、電線巻付部２０２ａ，２０２ｂを挿通させる貫通孔６が長手方向と交差する方向に貫通して形成されている。該貫通孔６は、バインド２００の電線巻付部２０２ａ，２０２ｂを挿通するためのもので、本実施形態においては、巻付具本体３の長手方向と直交する方向に貫通しており、巻付具本体３の長手方向の延びる長孔状に形成されている。本実施形態においては、前記電線巻付部２０２ａ，２０２ｂが螺旋状に曲げ加工されているため、該電線巻付部２０２ａ，２０２ｂを挿通させるべく、貫通孔６の孔径（長手方向と直交する方向の幅）は、電線巻付部２０２ａ，２０２ｂの外径よりも大きく設定されている。すなわち、貫通孔６の孔径は、挿通した電線巻付部２０２ａ，２０２ｂが該貫通孔６の孔中心方向に移動自在となるサイズに設定されている。
【００４９】
そして、前記貫通孔６は、巻付具本体３の長手方向の略中央部が該貫通孔６の長手方向の中央となるように形成されており、巻付具本体３の長手方向の中央を基準に一端側と他端側とが略同じ長さに設定されている。
【００５０】
このように巻付具本体３に貫通孔６を設けることで、前記介在部２は、巻付具本体３の外面と貫通孔６を画定する内周との間で構成され、前記第一当接部４は、巻付具本体３の外面（介在部２の一端）で構成される一方、第二当接部５は、貫通孔６の内周（介在部２の他端）で構成されている。すなわち、本実施形態に係る巻付具本体３は、貫通孔６の孔中心及び該巻付具本体３の長手方向と直交する方向の外面が第一当接部４として設定され、貫通孔６の内周面であって、第一当接部４と離反する面が第二当接部５として設定されている。
【００５１】
そして、本実施形態に係るバインド巻付具１は、巻付具本体３に貫通孔６を形成することで、その内周で第二当接部５を構成するようにしているため、巻付具本体３の長手方向と直交する方向において、介在部２が二つ形成されている。すなわち、本実施形態に係るバインド巻付具１は、貫通孔６を挟んでその両側に介在部２が形成されている。従って、該バインド巻付具１は、第一当接部４が巻付具本体３の長手方向に延びる軸心（貫通孔６）を基準とする対称位置に一対形成されている。
【００５２】
本実施形態に係るバインド巻付具１は、以上の構成からなり、次に、該バインド巻付具１を用いてバインド２００を電線Ｃに巻き付ける方法について説明する。
【００５３】
まず、絶縁ヤットコでバインド２００を保持しつつ支持体に取り付けられた碍子１００の括れ部１０３に碍子取付部２０１を嵌め付ける。しかる後、絶縁ヤットコで電線Ｃを保持しつつ該電線Ｃを括れ部１０３に対して部分的に沿わせる。すなわち、Ｃ字状又はＵ字状に形成された碍子取付部２０１を碍子１００の括れ部１０３に嵌着した状態で、括れ部１０３の一部に碍子取付部２０１に包囲されていない部分が残るため、当該部分に長尺な電線Ｃの一部を沿わせた状態にする。
【００５４】
この状態で、碍子取付部２０１の両側にある一対の電線巻付部２０２ａ，２０２ｂが碍子１００の括れ部１０３に部分的に沿わせた電線Ｃと同方向に延びた状態になる。そして、絶縁ヤットコでバインド巻付具１（巻付具本体３）を保持し、該巻付具本体３の貫通孔６に一方の電線巻付部２０２ａを挿通する。このとき、バインド巻付具１は、図５（ａ）に示す如く、電線巻付部２０２ａ，２０２ｂの基端側（碍子取付部２０１側）に配置される。なお、本実施形態においても、碍子取付部２０１を碍子１００に取り付けた後に、貫通孔６に電線巻付部２０２ａ，２０２ｂを挿通したが、碍子取付部２０１を碍子１００に取り付ける前に、予め貫通孔６に電線巻付部２０２ａ，２０２ｂを挿通しておいてもよい。
【００５５】
このように貫通孔６に電線巻付部２０２ａ，２０２ｂを挿通することで、該電線巻付部２０２ａ，２０２ｂと電線Ｃとの間に介在部２が介在し、第一当接部４に電線Ｃが当接するとともに第二当接部５に電線巻付部２０２ａ，２０２ｂが当接した状態となる（図４（ｂ）参照）。
【００５６】
しかる後、絶縁ヤットコＹで他方の電線巻付部２０２ｂと電線Ｃとを一緒に保持した上で、第一当接部４を電線Ｃに当接させつつ、巻付具本体３を電線Ｃ周りで回転させる。このとき、絶縁ヤットコで巻付具本体３の何れか一方側の端部を保持して引っ張ることでバインド巻付具１全体を回転させることができるが、本実施形態においても、巻付具本体３の両端部に環状体７，７が設けられているため、絶縁操作棒Ｓの先端に取り付けたフック状の先端工具Ｆを環状体７に引っ掛けて該絶縁操作棒Ｓを引っ張ることにより、巻付具本体３を電線Ｃ周りで回転させる。
【００５７】
そうすると、巻付具本体３の回転に伴って、一方の電線巻付部２０２ａが第二当接部５に当接し、該巻付具本体３の回転と同方向に押される結果、該一方の電線巻付部２０２ａが碍子取付部２０１（基端）側から先端に向けて電線Ｃに対して巻き付いていく。すなわち、引っ張られた巻付具本体３の端部が力点となり、第一当接部４が巻付具本体３の回転支点となるため、第二当接部５が電線巻付部２０２ａ，２０２ｂに対して電線Ｃ周りの押し力を作用させる作用点となる結果、巻付具本体３がテコの如く機能し、電線Ｃと横並び状態にあった電線巻付部２０２ａ，２０２ｂが電線Ｃに巻き付いていくことになる。
【００５８】
本実施形態に係るバインド巻付具１は、貫通孔６が長孔状に形成されているため、電線巻付部２０２ａ，２０２ｂが貫通孔６の長手方向の何れか一方の端部側に位置するように巻付具本体３を長手方向にスライドさせた状態で、他方の端部側の環状体７，７を引っ張るようになっている。これにより、作用点と回転支点との距離よりも、力点と回転支点との距離の方が長くなるため、小さな力で巻付具本体３を回転させることができる。
【００５９】
そして、一方の環状体７（巻付具本体３の一方の端部）に対する引っ張りが許容される範囲で巻付具本体３を回転させた後、図５（ｂ）及び図５（ｃ）に示す如く、絶縁操作棒Ｓ等で引っ張る対象となる環状体７，７（巻付具本体３の端部）を換えて再び引っ張る（一端側を引っ張った後は他端側を引っ張り、他端側を引っ張った後は一端側を引っ張る）ことで、巻付具本体３を電線Ｃ周りで回転させる。このときも、電線巻付部２０２ａ，２０２ｂが貫通孔６の長手方向の何れか一方の端部側に位置するように巻付具本体３を長手方向にスライドさせた状態で、他方の端部側の環状体７，７を引っ張ることになる。このように、引っ張る対象となる端部を交互に切り換えつつ巻付具本体３を回転させていくと、上述の如く、電線巻付部２０２ａ，２０２ｂが電線Ｃに対して基端側から順々に巻き付いていくことになる。
【００６０】
このように電線巻付部２０２ａ，２０２ｂが電線Ｃに対して順々に巻き付いていくに従い、碍子取付部２０１側に配置されていた巻付具本体３は、図５（ａ）〜図５（ｃ）に示す如く、順々に電線巻付部２０２ａ，２０２ｂの先端側に移動する。その結果、電線巻付部２０２ａ，２０２ｂが電線Ｃに対して完全に巻き付いた状態で、図５（ｄ）に示す如く、該電線巻付部２０２ａ，２０２ｂにおける貫通孔６に対する挿通状態が解除される。従って、巻付具本体３の貫通孔６から電線巻付部２０２ａ，２０２ｂが脱けた状態で一方の電線巻付部２０２ａの電線Ｃに対する巻き付けが完了する。
【００６１】
本実施形態においては、電線巻付部２０２ａ，２０２ｂが碍子取付部２０１の両側に設けられているので、上述の如く、一方の電線巻付部２０２ａの電線Ｃに対する巻き付けが完了すると、同様の要領で他方の電線巻付部２０２ｂについても電線Ｃに対して巻き付ける。そして、一対の電線巻付部２０２ａ，２０２ｂのそれぞれが電線Ｃに対して巻き付けられると、碍子１００の括れ部１０３に対して一部が沿った電線Ｃは、碍子１００の両側でバインド２００の電線巻付部２０２ａ，２０２ｂに保持された状態となる（図１参照）。
【００６２】
以上のように、本実施形態に係るバインド巻付具１は、上記構成とすることで、並列状態にある電線Ｃと電線巻付部２０２ａ，２０２ｂとの間に介在部２を配置し、第一当接部４を電線Ｃの外周に当接させつつ巻付具本体３を電線Ｃ周りで回転させるだけで、第二当接部５によって電線巻付部２０２ａ，２０２ｂが巻付具本体３の回転方向と同方向に押されて電線Ｃ周りに螺旋状に順々に巻き付けられるので、作業に熟練性が要求されることなく、巻付具本体３を電線Ｃ周りで回転させるといった簡単な作業で、電線Ｃに対して電線巻付部２０２ａ，２０２ｂを連続的に巻き付けることができる。
【００６３】
また、前記巻付具本体３は、棒状又は帯板状に形成されるとともに、電線巻付部２０２ａ，２０２ｂを挿通させる貫通孔６が長手方向と交差する方向に貫通して形成され、前記介在部２は、巻付具本体３の外面と貫通孔６を画定する内周との間で構成され、前記第一当接部４は、巻付具本体３の外面で構成される一方、第二当接部５が、貫通孔６の内周で構成されることで、巻付具本体３を電線Ｃ周りで回転させる際に、電線巻付部２０２ａ，２０２ｂと巻付具本体３とに一体性を持たせることができ、巻き付けの対象となる電線巻付部２０２ａ，２０２ｂの姿勢を気にすることなく巻付具本体３を回転させるだけで、電線巻付部２０２ａ，２０２ｂを電線Ｃに巻き付けることができる。特に、本実施形態に係るバインド巻付具１は、貫通孔６が長孔状に形成されているため、作用点と回転支点との距離よりも、力点と回転支点との距離の方が長くすることができ、小さな力で巻付具本体３を回転させることができる。
【００６４】
また、前記巻付具本体３の少なくとも一方の端部に環状体７，７が連設されることで、環状体７，７に絶縁操作棒Ｓの先端に取り付けたフック（先端工具Ｆ）を引っ掛けて絶縁操作棒Ｓを単に引っ張るだけで、巻付具本体３を電線Ｃ周りで回転させることができる。
【００６５】
次に、本発明の第三実施形態に係るバインド巻付具について説明する。本実施形態に係るバインド巻付具は、第一実施形態と同様のバインドを用いて碍子に電線を固定する際に、バインド（電線巻付部）を電線に巻き付けるためのものである。従って、以下の説明において、バインド巻付具以外のものについては、図１を参酌するとともに第一実施形態と同一名称及び同一符号を付して説明を割愛する。また、バインド巻付具に関しては、第一実施形態の構成と同一又は相当する構成について、便宜上同一名称及び同一符号を付すこととする。
【００６６】
本実施形態に係るバインド巻付具１は、上述の如く、バインド２００の電線巻付部２０２ａ，２０２ｂを電線Ｃに対して巻き付けるためのもので、図６（ａ）及び図６（ｂ）に示す如く、並列状態にある電線Ｃと電線巻付部２０２ａ，２０２ｂとの間に配置される介在部２が形成された巻付具本体３を備える。
【００６７】
前記巻付具本体３は、絶縁材料（例えば、合成樹脂）で成形されており、電線Ｃに当接させる第一当接部４が介在部２の一端に形成されるとともに、電線巻付部２０２ａ，２０２ｂに当接させる第二当接部５が介在部２の他端に形成されている。かかる巻付具本体３は、棒状又は帯板状（本実施形態においては棒状）に形成されている。本実施形態においても、巻付具本体３は、中実又は中空であってもよいが、本実施形態においても、強度確保の観点から、中実に形成されている。
【００６８】
さらに、本実施形態においても、バインド巻付具１は、巻付具本体３の両端部に環状体７，７が設けられており、フック状の先端工具Ｆで巻付具本体３の端部を引っ張ることができるようになっている。
【００６９】
前記巻付具本体３は、第一当接部４を電線Ｃに当接させつつ該電線Ｃ周りで回転させることで、第二当接部５が電線巻付部２０２ａ，２０２ｂを押すように構成されている。本実施形態に係る巻付具本体３には、電線Ｃを嵌め合わせる凹部１０が形成されている。該凹部１０は、巻付具本体３の外面上で開放するように、巻付具本体３の長手方向と交差する方向（本実施形態においては直交方向）に延びて形成されている。これにより、電線Ｃを凹部１０に嵌め込んだ状態で、電線Ｃが巻付具本体３の長手方向（軸心）に対して交差（直交）するようになっている。
【００７０】
本実施形態に係るバインド巻付具１は、前記凹部１０（第一当接部４）が巻付具本体３の長手方向の略中央部に形成されており、巻付具本体３の長手方向の中央を基準に該巻付具本体３の一端側と他端側とが略同じ長さに設定されている。
【００７１】
このように巻付具本体３に凹部１０を設けることで、前記介在部２は、巻付具本体３の外面と凹部１０を画定する内周との間で構成され、前記第一当接部４は、凹部１０の内周面で構成される一方、第二当接部５は、巻付具本体３の外面で構成されている。すなわち、本実施形態に係る巻付具本体３は、巻付具本体３の外面であって凹部１０の開放部分とは反対側の外面が第二当接部５として設定され、凹部１０の内周面であって、第二当接部５と離反する面が第一当接部４として設定されている。
【００７２】
本実施形態に係るバインド巻付具１は、以上の構成からなり、次に、該バインド巻付具１を用いてバインド２００を電線Ｃに巻き付ける方法について説明する。
【００７３】
まず、絶縁ヤットコでバインド２００を保持しつつ支持体に取り付けられた碍子１００の括れ部１０３に碍子取付部２０１を嵌め付ける。しかる後、絶縁ヤットコで電線Ｃを保持しつつ該電線Ｃを括れ部１０３に対して部分的に沿わせる。すなわち、Ｃ字状又はＵ字状に形成された碍子取付部２０１を碍子１００の括れ部１０３に嵌着した状態で、括れ部１０３の一部に碍子取付部２０１に包囲されていない部分が残るため、当該部分に長尺な電線Ｃの一部を沿わせた状態にする。
【００７４】
この状態で、碍子取付部２０１の両側にある一対の電線巻付部２０２ａ，２０２ｂが碍子１００の括れ部１０３に部分的に沿わせた電線Ｃと同方向に延びた状態になる。そして、絶縁ヤットコでバインド巻付具１（巻付具本体３）を保持し、横並び状態にある電線Ｃと電線巻付部２０２ａ，２０２ｂとの間に介在部２を配置して該電線Ｃを凹部１０内に嵌め込んだ状態にする（図６（ｂ）参照）。このとき、バインド巻付具１は、図７（ａ）に示す如く、電線巻付部２０２ａ，２０２ｂの基端側（碍子取付部２０１側）に配置される。
【００７５】
しかる後、絶縁ヤットコＹで他方の電線巻付部２０２ｂと電線Ｃとを一緒に保持した上で、第一当接部４を電線Ｃに当接させつつ、巻付具本体３を電線Ｃ周りで回転させる。このとき、絶縁ヤットコで巻付具本体３の何れか一方側の端部を保持して引っ張ることでバインド巻付具１全体を回転させることができるが、本実施形態においても、巻付具本体３の両端部に環状体７，７が設けられているため、絶縁操作棒Ｓの先端に取り付けたフック状の先端工具Ｆを環状体７に引っ掛けて該絶縁操作棒Ｓを引っ張ることにより、巻付具本体３を電線Ｃ周りで回転させることができる。特に、本実施形態に係るバインド巻付具１は、凹部１０に電線Ｃが嵌め込まれた状態で巻付具本体３が回転するため、巻付具本体３が電線Ｃに対して位置決めされた状態で回転することになる。
【００７６】
そうすると、巻付具本体３の回転に伴って、一方の電線巻付部２０２ａが第二当接部５に当接し、該巻付具本体３の回転と同方向に押される結果、該一方の電線巻付部２０２ａが碍子取付部２０１（基端）側から先端に向けて電線Ｃに対して巻き付いていく。すなわち、引っ張られた巻付具本体３の端部が力点となり、第一当接部４が巻付具本体３の回転支点となるため、第二当接部５が電線巻付部２０２ａ，２０２ｂに対して電線Ｃ周りの押し力を作用させる作用点となる結果、巻付具本体３がテコの如く機能し、電線Ｃと横並び状態にあった電線巻付部２０２ａ，２０２ｂが電線Ｃに巻き付いていくことになる。
【００７７】
そして、一方の環状体７（巻付具本体３の一方の端部）に対する引っ張りが許容される範囲で巻付具本体３を回転させた後、図７（ｂ）及び図７（ｃ）に示す如く、絶縁操作棒Ｓ等で引っ張る対象となる環状体７，７（巻付具本体３の端部）を換えて再び引っ張る（一端側を引っ張った後は他端側を引っ張り、他端側を引っ張った後は一端側を引っ張る）ことで、巻付具本体３を電線Ｃ周りで回転させる。このように、引っ張る対象となる端部を交互に切り換えつつ巻付具本体３を回転させていくと、上述の如く、電線巻付部２０２ａ，２０２ｂが電線Ｃに対して基端側から順々に巻き付いていくことになる。
【００７８】
このように電線巻付部２０２ａ，２０２ｂが電線Ｃに対して順々に巻き付いていくに従い、碍子取付部２０１側に配置されていた巻付具本体３は、図７（ａ）〜図７（ｃ）に示す如く、順々に電線巻付部２０２ａ，２０２ｂの先端側に移動する。その結果、電線巻付部２０２ａ，２０２ｂが電線Ｃに対して完全に巻き付いた状態で、図７（ｄ）に示す如く、電線巻付部２０２ａ，２０２ｂに対する第二当接部５による押圧が解除される。従って、第二当接部５が電線巻付部２０２ａ，２０２ｂから外れた状態で一方の電線巻付部２０２ａの電線Ｃに対する巻き付けが完了する。
【００７９】
本実施形態においては、電線巻付部２０２ａ，２０２ｂが碍子取付部２０１の両側に設けられているので、上述の如く、一方の電線巻付部２０２ａの電線Ｃに対する巻き付けが完了すると、同様の要領で他方の電線巻付部２０２ｂについても電線Ｃに対して巻き付ける。そして、一対の電線巻付部２０２ａ，２０２ｂのそれぞれが電線Ｃに対して巻き付けられると、碍子１００の括れ部１０３に対して一部が沿った電線Ｃは、碍子１００の両側でバインド２００の電線巻付部２０２ａ，２０２ｂに保持された状態となる（図１参照）。
【００８０】
以上のように、本実施形態に係るバインド巻付具１は、上記構成とすることで、並列状態にある電線Ｃと電線巻付部２０２ａ，２０２ｂとの間に介在部２を配置し、第一当接部４を電線Ｃの外周に当接させつつ巻付具本体３を電線Ｃ周りで回転させるだけで、第二当接部５によって電線巻付部２０２ａ，２０２ｂが巻付具本体３の回転方向と同方向に押されて電線Ｃ周りに螺旋状に順々に巻き付けられるので、作業に熟練性が要求されることなく、巻付具本体３を電線Ｃ周りで回転させるといった簡単な作業で、電線Ｃに対して電線巻付部２０２ａ，２０２ｂを連続的に巻き付けることができる。
【００８１】
また、前記巻付具本体３は、棒状又は帯板状に形成されるとともに、電線Ｃを嵌め込む凹部１０が形成され、前記介在部２は、巻付具本体３の外面と凹部１０を画定する内周との間で構成され、前記第一当接部４が凹部１０の内周で構成される一方、第二当接部５が巻付具本体３の外面で構成されることで、巻付具本体３を電線Ｃに対して位置決めしつつ安定して回転させることができる。
【００８２】
さらに、巻付具本体３の長手方向の略中央部に電線Ｃを嵌め込む凹部１０が形成されることで、巻付具本体３の何れの端部を力点にしても均一な力で巻付具本体３を円滑に回転させることができる。
【００８３】
また、前記巻付具本体３の少なくとも一方の端部に環状体７，７が連設されることで、環状体７，７に絶縁操作棒Ｓの先端に取り付けたフック（先端工具Ｆ）を引っ掛けて絶縁操作棒Ｓを単に引っ張るだけで、巻付具本体３を電線Ｃ周りで回転させることができる。
【００８４】
次に、本発明の第四実施形態に係るバインド巻付具について説明する。本実施形態に係るバインド巻付具は、第一実施形態と同様のバインドを用いて碍子に電線を固定する際に、バインド（電線巻付部）を電線に巻き付けるためのものである。従って、以下の説明において、バインド巻付具以外のものについては、図１を参酌するとともに第一実施形態と同一名称及び同一符号を付して説明を割愛する。また、バインド巻付具に関しては、第一実施形態の構成と同一又は相当する構成について、便宜上同一名称及び同一符号を付すこととする。
【００８５】
本実施形態に係るバインド巻付具１は、上述の如く、バインド２００の電線巻付部２０２ａ，２０２ｂを電線Ｃに対して巻き付けるためのもので、図８（ａ）及び図８（ｂ）に示す如く、並列状態にある電線Ｃと電線巻付部２０２ａ，２０２ｂとの間に配置される介在部２が形成された巻付具本体３を備える。
【００８６】
前記巻付具本体３は、絶縁材料（例えば、合成樹脂）で成形されており、電線Ｃに当接させる第一当接部４が介在部２の一端に形成されるとともに、電線巻付部２０２ａ，２０２ｂに当接させる第二当接部５が介在部２の他端に形成されている。かかる巻付具本体３は、棒状又は帯板状（本実施形態においては帯板状）に形成されている。
【００８７】
さらに、本実施形態においても、バインド巻付具１は、巻付具本体３の両端部に環状体７，７が設けられており、フック状の先端工具Ｆで巻付具本体３の端部を引っ張ることができるようになっている。
【００８８】
該巻付具本体３は、第一当接部４を電線Ｃに当接させつつ該電線Ｃ周りで回転させることで、第二当接部５が電線巻付部２０２ａ，２０２ｂを押すように構成されている。本実施形態に係る巻付具本体３には、長手方向に延びる長孔状のスリット部１１と、該スリット部１１内と外部を連通させる連通部１２とが形成されている。前記スリット部１１及び連通部１２は、同方向（巻付具本体３の長手方向と直交する方向）に貫通している。これにより、連通部１２を介してスリット部１１内に電線Ｃを嵌め込むことができ、スリット部１１内で電線Ｃが巻付具本体３の長手方向に対して交差（直交）する方向の延びた状態で巻付具本体３の長手方向に移動できるようになっている。
【００８９】
本実施形態に係るバインド巻付具１は、スリット部１１が巻付具本体３の長手方向の略中央部を該スリット部１１の長手方向の中央と一致させるように形成されており、巻付具本体３の長手方向の中央を基準に一端側と他端側とが略同じ長さに設定されている。そして、該バインド巻付具１は、連通部１２が巻付具本体３の長手方向の略中央部に形成されている。
【００９０】
このように巻付具本体３にスリット部１１を設けることで、前記介在部２は、巻付具本体３の外面とスリット部１１を画定する内周との間で構成され、前記第一当接部４は、スリット部１１の内周面で構成される一方、第二当接部５は、巻付具本体３の外面で構成されている。すなわち、本実施形態に係る巻付具本体３は、巻付具本体３の外面であって連通部１２の開放部分とは反対側の外面が第二当接部５として設定され、スリット部１１の内周面であって、第二当接部５と離反する面が第一当接部４として設定されている。
【００９１】
本実施形態に係るバインド巻付具１は、以上の構成からなり、次に、該バインド巻付具１を用いてバインド２００を電線Ｃに巻き付ける方法について説明する。
【００９２】
まず、絶縁ヤットコでバインド２００を保持しつつ支持体に取り付けられた碍子１００の括れ部１０３に碍子取付部２０１を嵌め付ける。しかる後、絶縁ヤットコで電線Ｃを保持しつつ該電線Ｃを括れ部１０３に対して部分的に沿わせる。すなわち、Ｃ字状又はＵ字状に形成された碍子取付部２０１を碍子１００の括れ部１０３に嵌着した状態で、括れ部１０３の一部に碍子取付部２０１に包囲されていない部分が残るため、当該部分に長尺な電線Ｃの一部を沿わせた状態にする。
【００９３】
この状態で、碍子取付部２０１の両側にある一対の電線巻付部２０２ａ，２０２ｂが碍子１００の括れ部１０３に部分的に沿わせた電線Ｃと同方向に延びた状態になる。そして、絶縁ヤットコでバインド巻付具１（巻付具本体３）を保持し、横並び状態にある電線Ｃと電線巻付部２０２ａ，２０２ｂとの間に介在部２を配置するように連通部１２を介して電線Ｃをスリット部１１内に嵌め込んだ状態にする。このとき、バインド巻付具１は、図９（ａ）に示す如く、電線巻付部２０２ａ，２０２ｂの基端側（碍子取付部２０１側）に配置される。
【００９４】
しかる後、絶縁ヤットコＹで他方の電線巻付部２０２ｂと電線Ｃとを一緒に保持した上で、第一当接部４を電線Ｃに当接させつつ、巻付具本体３を電線Ｃ周りで回転させる。このとき、絶縁ヤットコで巻付具本体３の何れか一方側の端部を保持して引っ張ることでバインド巻付具１全体を回転させることができるが、本実施形態においては、巻付具本体３の両端部に環状体７，７が設けられているため、絶縁操作棒Ｓの先端に取り付けたフック状の先端工具Ｆを環状体７に引っ掛けて該絶縁操作棒Ｓを引っ張ることにより、巻付具本体３を電線Ｃ周りで回転させることができる。
【００９５】
そうすると、巻付具本体３の回転に伴って、一方の電線巻付部２０２ａが第二当接部５に当接し、該巻付具本体３の回転と同方向に押される結果、該一方の電線巻付部２０２ａが碍子取付部２０１（基端）側から先端に向けて電線Ｃに対して巻き付いていく。すなわち、引っ張られた巻付具本体３の端部が力点となり、第一当接部４が巻付具本体３の回転支点となるため、第二当接部５が電線巻付部２０２ａ，２０２ｂに対して電線Ｃ周りの押し力を作用させる作用点となる結果、巻付具本体３がテコの如く機能し、電線Ｃと横並び状態にあった電線巻付部２０２ａ，２０２ｂが電線Ｃに巻き付いていくことになる。
【００９６】
本実施形態に係るバインド巻付具１は、スリット部１１が長孔状に形成されているため、電線Ｃがスリット部１１の長手方向の何れか一方の端部側に位置するように巻付具本体３を長手方向にスライドさせた状態で、他方の端部側の環状体７，７を引っ張るようになっている。これにより、作用点と回転支点との距離よりも、力点と回転支点との距離の方が長くなるため、小さな力で巻付具本体３を回転させることができる。
【００９７】
そして、一方の環状体７（巻付具本体３の一方の端部）に対する引っ張りが許容される範囲で巻付具本体３を回転させた後、図９（ｂ）及び図９（ｃ）に示す如く、絶縁操作棒Ｓ等で引っ張る対象となる環状体７，７（巻付具本体３の端部）を換えて再び引っ張る（一端側を引っ張った後は他端側を引っ張り、他端側を引っ張った後は一端側を引っ張る）ことで、巻付具本体３を電線Ｃ周りで回転させる。このように、引っ張る対象となる端部を交互に切り換えつつ巻付具本体３を回転させていくと、上述の如く、電線巻付部２０２ａ，２０２ｂが電線Ｃに対して基端側から順々に巻き付いていくことになる。
【００９８】
このように電線巻付部２０２ａ，２０２ｂが電線Ｃに対して順々に巻き付いていくに従い、碍子取付部２０１側に配置されていた巻付具本体３は、図９（ａ）〜図９（ｃ）に示す如く、順々に電線巻付部２０２ａ，２０２ｂの先端側に移動する。その結果、電線巻付部２０２ａ，２０２ｂが電線Ｃに対して完全に巻き付いた状態で、図９（ｄ）に示す如く、電線巻付部２０２ａ，２０２ｂに対する第二当接部５による押圧が解除される。従って、第二当接部５が電線巻付部２０２ａ，２０２ｂから外れた状態で一方の電線巻付部２０２ａの電線Ｃに対する巻き付けが完了する。
【００９９】
本実施形態においては、電線巻付部２０２ａ，２０２ｂが碍子取付部２０１の両側に設けられているので、上述の如く、一方の電線巻付部２０２ａの電線Ｃに対する巻き付けが完了すると、同様の要領で他方の電線巻付部２０２ｂについても電線Ｃに対して巻き付ける。そして、一対の電線巻付部２０２ａ，２０２ｂのそれぞれが電線Ｃに対して巻き付けられると、碍子１００の括れ部１０３に対して一部が沿った電線Ｃは、碍子１００の両側でバインド２００の電線巻付部２０２ａ，２０２ｂに保持された状態となる（図１参照）。
【０１００】
以上のように、本実施形態に係るバインド巻付具１は、上記構成とすることで、並列状態にある電線Ｃと電線巻付部２０２ａ，２０２ｂとの間に介在部２を配置し、第一当接部４を電線Ｃの外周に当接させつつ巻付具本体３を電線Ｃ周りで回転させるだけで、第二当接部５によって電線巻付部２０２ａ，２０２ｂが巻付具本体３の回転方向と同方向に押されて電線Ｃ周りに螺旋状に順々に巻き付けられるので、作業に熟練性が要求されることなく、巻付具本体３を電線Ｃ周りで回転させるといった簡単な作業で、電線Ｃに対して電線巻付部２０２ａ，２０２ｂを連続的に巻き付けることができる。
【０１０１】
また、前記巻付具本体３は、棒状又は帯板状に形成されるとともに、電線Ｃを嵌め込むスリット部１１が形成され、前記介在部２は、巻付具本体３の外面とスリット部１１を画定する内周との間で構成され、前記第一当接部４がスリット部１１の内周で構成される一方、第二当接部５が巻付具本体３の外面で構成されることで、巻付具本体３を電線Ｃに対して位置決めしつつ安定して回転させることができる。特に、本実施形態に係るバインド巻付具１は、スリット部１１が長孔状に形成されているため、作用点と回転支点との距離よりも、力点と回転支点との距離の方が長くすることができ、小さな力で巻付具本体３を回転させることができる。
【０１０２】
また、前記巻付具本体３の少なくとも一方の端部に環状体７，７が連設されることで、環状体７，７に絶縁操作棒Ｓの先端に取り付けたフック（先端工具Ｆ）を引っ掛けて絶縁操作棒Ｓを単に引っ張るだけで、巻付具本体３を電線Ｃ周りで回転させることができる。
【０１０３】
尚、本発明のバインド巻付具は、上記実施形態に限定されるものではなく、本発明の要旨を逸脱しない範囲内において種々変更を加え得ることは勿論である。
【０１０４】
上記各実施形態において、碍子取付部２０１の両側に真反対に延出した一対の電線巻付部２０２ａ，２０２ｂを備えたバインド２００を対象に説明したが、これに限定されるものではなく、例えば、碍子取付部２０１から同方向に延出した一対の電線巻付部２０２ａ，２０２ｂを備えたバインド２００を対象としてもよいし、碍子取付部２０１から一つの電線巻付部２０２ａ，２０２ｂが延出したバインド２００を対象としてもよい。また、上記各実施形態において、電線巻付部２０２ａ，２０２ｂが予め螺旋状に曲げ加工されたバインド２００を対象に説明したが、これに限定されるものではなく、例えば、電線巻付部２０２ａ，２０２ｂが真っ直ぐに形成されたバインド２００を対象としてもよい。すなわち、電線Ｃに対して巻き付ける電線巻付部２０２ａ，２０２ｂを備えているバインド２００であればよい。
【０１０５】
上記各実施形態において、巻付具本体３の両端部に環状体７，７を設け、該環状体７にフック状の先端工具Ｆを引っ掛けるようにしたが、これに限定されるものではなく、例えば、環状体７，７を設けることなく、巻付具本体３の端部を絶縁ヤットコで挟み込んで引っ張るようにしてもよい。また、環状体７，７を設ける場合、巻付具本体３の両端部に設けたものに限定されるものではなく、巻付具本体３の何れか一方の端部に設けるようにしてもよい。なお、巻付具本体３の端部に環状体７，７を設け、該環状体７に先端工具Ｆを引っ掛けることができるようにした方が作業性の観点で良好であることは言うまでもない。
【０１０６】
上記各実施形態において、巻付具本体３の両端部を先細りに形成したが、これに限定されるものではなく、全長に亘って同径に設定されたり、長手方向の中央部が両端部よりも小径に設定されたりしたものであっても勿論よい。また、巻付具本体３は、中実のものに限定される中空のものであってもよい。
【０１０７】
上記各実施形態において、巻付具本体３を棒状又は帯状に形成することを前提に説明したが、これに限定されるものではなく、例えば、図１０に示す如く、巻付具本体３をリング状に形成し、該巻付具本体３の径方向の幅部分を介在部２とし、巻付具本体３の外周で第一当接部４を構成するとともに、巻付具本体３の内周で第二当接部５を構成するようにしてもよい。このようにすれば、リング状の巻付具本体３を自転させつつ電線Ｃ周りで公転させることで電線巻付部２０２ａ，２０２ｂが第二当接部５に押されて電線Ｃに巻き付けられることになる。この場合、巻付具本体３の内周及び外周に対し周方向に連続した凹凸を形成し、電線Ｃや電線巻付部２０２ａ，２０２ｂに対する滑り止めを設けることが好ましい。このようにすることで、巻付具本体３を電線Ｃ周りで公転させる際に、電線Ｃや電線巻付部２０２ａ，２０２ｂとの間で滑りが生じにくくなり、電線巻付部２０２ａ，２０２ｂを電線Ｃに対して効率的に巻き付けることができる。
【０１０８】
上記第二実施形態において、電線Ｃを嵌め込む凹部１０を真っ直ぐ掘り下げるように形成したが、これに限定されるものではなく、例えば、図１１に示す如く、凹部１０を鈎の手状に形成してもよい。すなわち、電線Ｃを嵌め込む凹部１０として、巻付具本体３の長手方向と直交方向に掘り下げた第一凹部１０ａと、該第一凹部１０ａの奥部から巻付具本体３の長手方向の少なくとも一方の端部側に延びる第二凹部１０ｂとで構成したものを採用し、巻付具本体３を回転させる際に電線Ｃを第二凹部１０ｂ内に位置させるようにしてもよい。このようにすれば、凹部１０から電線Ｃが脱落しにくくなるため、巻付具本体３を円滑に回転させることができる。なお、言うまでもないが、この場合、凹部１０（第二凹部１０ｂ）の内周が電線Ｃに当接する第一当接部４となる。
【０１０９】
上記第二実施形態において、電線Ｃを嵌め込む凹部１０を巻付具本体３に設け、電線Ｃに当接させる第一当接部４を凹部１０の内周で構成するとともに、電線巻付部２０２ａ，２０２ｂに当接させる第二当接部５を巻付具本体３の外面で構成するようにしたが、例えば、図１２及び図１３に示す如く、巻付具本体３の凹部１０を躱して電線巻付部２０２ａ，２０２ｂを挿通させる貫通孔６を巻付具本体３に形成してもよい。この場合、電線Ｃと電線巻付部２０２ａ，２０２ｂとの間に配置される介在部２が凹部１０と貫通孔６との間に形成され、第一当接部４が凹部１０の内周で構成されるとともに第二当接部５が貫通孔６の内周で構成されることになる。このように凹部１０と貫通孔６とを設けることで、第二実施形態のバインド巻付具１に対し、第一実施形態のバインド巻付具１の作用及び効果を付加することができる。すなわち、電線巻付部２０２ａ，２０２ｂを電線Ｃに対して巻き付ける際（巻付具本体３を電線Ｃ周りで回転させる際）に、電線巻付部２０２ａ，２０２ｂと巻付具本体３とに一体性を持たせることができ、巻き付けの対象となる電線巻付部２０２ａ，２０２ｂの姿勢を気にすることなく巻付具本体３を回転させるだけで、電線巻付部２０２ａ，２０２ｂを電線Ｃに巻き付けることができるようになる。
【図面の簡単な説明】
【０１１０】
【図１】本発明の第一実施形態に係るバインド巻付具の作業対象となるバインド、碍子、及び電線の説明図であって、（ａ）は、バインドを介して電線を碍子に固定した状態の正面図を示し、（ｂ）は、バインドを介して電線を碍子に固定した状態の部分断面側面図を示す。
【図２】第一実施形態に係るバインド巻付具の説明図であって、（ａ）は、正面図を示し、（ｂ）は、側面図を示す。
【図３】第一実施形態に係るバインド巻付具の使用態様を説明するための説明図であって、（ａ）〜（ｂ）は、巻付具本体を電線周りで回転させてバインド（電線巻付部）を電線に巻き付けていく過程を示し、（ｄ）は、バインド（電線巻付部）の巻き付けが完了した状態を示す。
【図４】本発明の第二実施形態に係るバインド巻付具の説明図であって、（ａ）は、正面図を示し、（ｂ）は、側面図を示す。
【図５】第二実施形態に係るバインド巻付具の使用態様を説明するための説明図であって、（ａ）〜（ｂ）は、巻付具本体を電線周りで回転させてバインド（電線巻付部）を電線に巻き付けていく過程を示し、（ｄ）は、バインド（電線巻付部）の巻き付けが完了した状態を示す。
【図６】本発明の第三実施形態に係るバインド巻付具の説明図であって、（ａ）は、正面図を示し、（ｂ）は、側面図を示す。
【図７】第三実施形態に係るバインド巻付具の使用態様を説明するための説明図であって、（ａ）〜（ｂ）は、巻付具本体を電線周りで回転させてバインド（電線巻付部）を電線に巻き付けていく過程を示し、（ｄ）は、バインド（電線巻付部）の巻き付けが完了した状態を示す。
【図８】本発明の第四実施形態に係るバインド巻付具の説明図であって、（ａ）は、正面図を示し、（ｂ）は、側面図を示す。
【図９】第四実施形態に係るバインド巻付具の使用態様を説明するための説明図であって、（ａ）〜（ｂ）は、巻付具本体を電線周りで回転させてバインド（電線巻付部）を電線に巻き付けていく過程を示し、（ｄ）は、バインド（電線巻付部）の巻き付けが完了した状態を示す。
【図１０】本発明の他実施形態に係るバインド巻付具の概略図を示す。
【図１１】第二実施形態の変形例に係るバインド巻付具の側面図を示す。
【図１２】第一実施形態（第二実施形態）の変形例に係るバインド巻付具の側面図を示す。
【図１３】第一実施形態（第二実施形態）の別の変形例に係るバインド巻付具の側面図を示す。
【符号の説明】
【０１１１】
１…バインド巻付具、２…介在部、３…巻付具本体、４…第一当接部、５…第二当接部、６…貫通孔、７…環状体、１０…凹部、１０ａ…第一凹部、１０ｂ…第二凹部、１１…スリット部、１２…連通部、１００…碍子、１０１…絶縁部、１０２…脚部、１０３…括れ部、２００…バインド、２０１…碍子取付部、２０２ａ，２０２ｂ…電線巻付部、Ｃ…電線、Ｙ…絶縁ヤットコ、Ｆ…先端工具（フック）、Ｓ…絶縁操作棒
【図１】
2010015704.tif 000003
【図２】
2010015704.tif 000004
【図３】
2010015704.tif 000005
【図４】
2010015704.tif 000006
【図５】
2010015704.tif 000007
【図６】
2010015704.tif 000008
【図７】
2010015704.tif 000009
【図８】
2010015704.tif 000010
【図９】
2010015704.tif 000011
【図１０】
2010015704.tif 000012
【図１１】
2010015704.tif 000013
【図１２】
2010015704.tif 000014
【図１３】
2010015704.tif 000015